(57)【要約】【課題】屈曲部分を多芯構造としうる構成を実現しつつ、光ファイバケーブルを通過する際の光のばらつきをも抑制できる構成を提供する。【解決手段】光ファイバケーブルＦの芯線は全長に渡って同一径のものが使用されているのでなく、アンプ部内とアンプ部外とで異なる構成が採用されている。光ファイバケーブルＦ２１，２２は、屈折率の異なる例えばガラスで形成されたコアとクラッドとから構成される単一の芯線５を例えば保護シース６で被覆したもので、即ち単芯芯線が使用されている。一方、光ファイバケーブルＦ１１，Ｆ１２は、芯線５よりも径が小さい４本の芯線７を束ねて保護シース８で被覆したもので、多芯芯線が使用されている。【選択図】図７
2007178884.tif 000002
【特許請求の範囲】
【請求項１】
一端側が光ファイバセンサのアンプ部に挿入され、他端側が検出領域に取り付けられる光ファイバセンサヘッドにおいて、
前記光ファイバケーブルは、
前記アンプ部内に挿入される箇所においては単芯芯線で構成されると共に、前記アンプ部外においては多芯芯線で構成されることを特徴とする光ファイバセンサヘッド。
【請求項２】
一端側が光ファイバセンサのアンプ部に挿入され、他端側に口金又は検出ユニットが装着されて検出領域に取り付けられる光ファイバセンサヘッドにおいて、
前記光ファイバケーブルは、
前記口金内又は前記検出ユニット内においては単芯芯線で構成されると共に、その他においては多芯芯線で構成されることを特徴とする光ファイバセンサヘッド。
【請求項３】
前記光ファイバケーブルは、前記口金内又は前記検出ユニット内の箇所と、前記アンプ部内に挿入される箇所においては、単芯芯線で構成されると共に、その他においては多芯芯線で構成されることを特徴とする請求項２に記載の光ファイバセンサヘッド。
【請求項４】
一端側が光ファイバセンサのアンプ部に挿入され、他端側が検出領域に取り付けられる光ファイバセンサヘッドにおいて、
前記光ファイバケーブルは、
アンプ部本体に対し装着可能に構成される保持部材に一端側が保持されており、
前記保持部材内に挿入される箇所においては単芯芯線で構成されると共に、前記保持部材からアンプ部外に導出された箇所においては多芯芯線で構成されることを特徴とする光ファイバセンサヘッド。
【請求項５】
前記光ファイバケーブルは、前記他端側に口金又は検出ユニットが装着されており、前記口金内又は前記検出ユニット内の箇所と、前記保持部材に挿入される箇所においては、単芯芯線で構成されると共に、その他においては多芯芯線で構成されることを特徴とする請求項４に記載の光ファイバセンサヘッド。
【請求項６】
前記単芯芯線の端部と前記多芯芯線の端部とが前記保持部材内において光伝達可能に結合されてなり、
前記単芯芯線又は前記多芯芯線のうち少なくともいずれかは、前記保持部材に着脱可能に取り付けられていることを特徴とする請求項４又は請求項５に記載の光ファイバセンサヘッド。
【請求項７】
請求項１ないし請求項６のいずれかに記載の光ファイバセンサヘッドによって構成され、一方の先端部より外部へ光を投光する投光用ファイバヘッドと、
受光用ファイバヘッドと、
前記投光用ファイバヘッドの他方の先端部と対向して配置される投光素子と、
前記受光用ファイバヘッドの他方の先端部と対向して配置される受光素子と、
前記受光素子での受光量に基づいて検出を行う検出手段と、
を備えたことを特徴とする光ファイバセンサ。
【発明の詳細な説明】
【技術分野】
【０００１】
本発明は、光ファイバセンサヘッド及び光ファイバセンサに関する。
【背景技術】
【０００２】
従来より、投受光回路や投受光素子からなる電気回路を備えたアンプ部から光ファイバケーブルを導出し、その光ファイバケーブルの先端に検出ヘッドを設け、その検出ヘッドを検出部に配置する光ファイバセンサが提供されている。このような構成であると、電気回路はアンプ部に集約されて検出ヘッドから電気回路を取り除くことができ、かつヘッドを小型化できるという利点がある。この種の光ファイバセンサでは、アンプ部と検出ヘッドとを連結する光ファイバケーブルを、全体が同一径である一本の単芯又は多芯の芯線を保護シースで覆う構成とするものが一般的であった。
【特許文献１】特開平５−１４１９２３号公報
【発明の開示】
【発明が解決しようとする課題】
【０００３】
ところで、上記のような光ファイバセンサに用いる光ファイバセンサヘッドは、狭く入込んだ箇所に配置する場合等、ケーブルを屈曲させて用いられることが多い。このため、光ファイバケーブルとしては屈曲性が高いものが要求され、それには芯線が細い多芯芯線のほうが有利である。また、一般に、光ファイバケーブルを屈曲させると、いわゆる曲げ損失が発生することが知られており、その曲げ損失は芯線が細いほど小さくなるという性質がある。従って、屈曲が多くなる部分では単芯芯線よりも多芯芯線を使用することが望ましい。
【０００４】
しかしながら、多芯芯線は、一端側と多端側とで芯線の配列が異なるため、光ファイバケーブルとして多芯芯線のみを用いる構成とすると、一端側から入射される光量の分布が他端側で反映されにくく、またケーブルを通過する際に光量のばらつきが生じやすくなるという問題があった。
【０００５】
一方、特許文献１では、多芯芯線と単芯芯線とを結合する技術が開示されている。しかしながら、単芯芯線と多芯芯線とを単に結合するのみでは、単芯芯線を屈曲させざるを得ない場合に不都合が生じてしまう。
【０００６】
本発明は上記のような事情に基づいてなされたものであって、屈曲部分を多芯構造としうる構成を実現しつつ、光ファイバケーブルを通過する際の光のばらつきをも抑制できる構成を提供することを目的とする。
【課題を解決するための手段】
【０００７】
上記の目的を達成するための手段として、請求項１の発明は、
一端側が光ファイバセンサのアンプ部に挿入され、他端側が検出領域に取り付けられる光ファイバセンサヘッドにおいて、
前記光ファイバケーブルは、
前記アンプ部内に挿入される箇所においては単芯芯線で構成されると共に、前記アンプ部外においては多芯芯線で構成されることを特徴とする。
【０００８】
請求項２の発明は、
一端側が光ファイバセンサのアンプ部に挿入され、他端側に口金又は検出ユニットが装着されて検出領域に取り付けられる光ファイバセンサヘッドにおいて、
前記光ファイバケーブルは、
前記口金内又は前記検出ユニット内においては単芯芯線で構成されると共に、その他においては多芯芯線で構成されることを特徴とする。
【０００９】
請求項３の発明は、請求項２に記載の光ファイバセンサヘッドにおいて、
前記光ファイバケーブルは、前記口金内又は前記検出ユニット内の箇所と、前記アンプ部内に挿入される箇所においては、単芯芯線で構成されると共に、その他においては多芯芯線で構成されることを特徴とする。
【００１０】
請求項４の発明は、一端側が光ファイバセンサのアンプ部に挿入され、他端側が検出領域に取り付けられる光ファイバセンサヘッドにおいて、
前記光ファイバケーブルは、
アンプ部本体に対し装着可能に構成される保持部材に一端側が保持されており、
前記保持部材内に挿入される箇所においては単芯芯線で構成されると共に、前記保持部材からアンプ部外に導出された箇所においては多芯芯線で構成されることを特徴とする。
【００１１】
請求項５の発明は、請求項４に記載の光ファイバセンサヘッドにおいて、
前記光ファイバケーブルは、前記他端側に口金又は検出ユニットが装着されており、前記口金内又は前記検出ユニット内の箇所と、前記保持部材に挿入される箇所においては、単芯芯線で構成されると共に、その他においては多芯芯線で構成されることを特徴とする。
【００１２】
請求項６の発明は、請求項４又は請求項５に記載の光ファイバセンサヘッドにおいて、
前記単芯芯線の端部と前記多芯芯線の端部とが前記保持部材内において光伝達可能に結合されてなり、
前記単芯芯線又は前記多芯芯線のうち少なくともいずれかは、前記保持部材に着脱可能に取り付けられていることを特徴とする。
【００１３】
請求項７の発明は、光ファイバセンサにおいて、
請求項１ないし請求項６のいずれかに記載の光ファイバセンサヘッドによって構成され、一方の先端部より外部へ光を投光する投光用ファイバヘッドと、
受光用ファイバヘッドと、
前記投光用ファイバヘッドの他方の先端部と対向して配置される投光素子と、
前記受光用ファイバヘッドの他方の先端部と対向して配置される受光素子と、
前記受光素子での受光量に基づいて検出を行う検出手段と、
を備えたことを特徴とする。
【発明の効果】
【００１４】
＜請求項１の発明＞
請求項１の発明によれば、ケーブルが屈曲されにくいアンプ部内において単芯芯線で構成される部分を設け、アンプ部外において多芯芯線で構成される部分を設けるようにしたため、屈曲部分を多芯構造とすることができる。また、単芯芯線と多芯芯線とが組み合わされた構成とされるため、光ファイバケーブルを通過する際の光のばらつきを抑制できる。
【００１５】
＜請求項２の発明＞
請求項２の発明によれば、ケーブルが屈曲されにくい口金内又は検出ユニット内において単芯芯線で構成される部分を設け、その他の部分を多芯芯線で構成するようにしたため、屈曲部分を多芯構造とすることができる。また、単芯芯線と多芯芯線とが組み合わされた構成とされるため、光ファイバケーブルを通過する際の光のばらつきを抑制できる。
【００１６】
＜請求項３の発明＞
請求項３の発明によれば、アンプ部内と、口金内又は検出ユニット内との両方において単芯芯線によって構成される部分が設けられるため、光量のばらつきを抑制する効果がより一層高まる。
【００１７】
＜請求項４の発明＞
請求項４の発明によれば、アンプ部本体に対し装着可能に構成される保持部材の内部に単芯芯線を設けるようにしたため、光ファイバケーブルをアンプ部に固定する際に、投光素子の中心と光ファイバの中心とが位置ずれしにくくなる。また、ケーブルが屈曲されにくい保持部材内において単芯芯線で構成される部分を設け、その他の部分を多芯芯線で構成するようにしたため、屈曲部分を多芯構造とすることができる。また、単芯芯線と多芯芯線とが組み合わされた構成とされるため、光ファイバケーブルを通過する際の光のばらつきを抑制できる。
＜請求項５の発明＞
請求項５の発明によれば、保持部材内と、口金内又は検出ユニット内との両方において単芯芯線によって構成される部分が設けられるため、光量のばらつきを抑制する効果がより一層高まる。
【００１８】
＜請求項６の発明＞
請求項６の発明によれば、単芯芯線と多芯芯線とを光伝達可能に連結する好適例となり、また、単芯芯線又は多芯芯線のうち少なくともいずれかが保持部材に着脱可能とされるため、メンテナンス性に優れた構成となる。
【００１９】
＜請求項７の発明＞
請求項７の発明によれば、請求項１ないし請求項６と同様の効果を奏する光ファイバセンサを実現できる。
【発明を実施するための最良の形態】
【００２０】
以下、本発明の実施形態１を図面を参照して説明する。
本実施形態の光ファイバセンサ１は、アンプユニット３から投光用及び受光用の２本の光ファイバケーブルＦ（光ファイバケーブルＦは、単芯芯線で構成される光ファイバケーブルと多芯芯線で構成される光ファイバケーブルを総称するものである）を導出して、その光ファイバケーブルＦの先端を検出部に配置して構成されたもので、例えば、漏液センサとして使用される。これは、タンク、配管等から漏れた漏液を検出するためのものであり、本実施形態の光ファイバセンサ１は、図１に示すように、タンク室の外（図において左側）に配置されたアンプユニット３から導出された光ファイバケーブルＦが、壁Ｄに挿通されてタンク４（図において右側）に至っている。そして、その光ファイバセンサケーブルＦの先端側を屈曲させつつ、検出部２を、例えば液体貯蔵用のタンクの下側に設けた液受けパン（図示せず）の内底面に対向配置されている。
【００２１】
さて、本実施形態の光ファイバケーブルＦの芯線は全長に渡って同一径のものが使用されているのでなく、図４、図７に示すように、アンプ部（アンプ部はアンプユニット３と素子ブロック１０によって構成される）内に挿入される箇所においては単芯芯線で構成される光ファイバケーブルＦ２１，Ｆ２２が配され、アンプ部外においては多芯芯線で構成された光ファイバケーブルＦ１１，１２が配されている。このように構成される光ファイバケーブルＦは、アンプ部から光ファイバケーブルＦ１０が導出され監視室内に配線される構成をなしている。なお、本実施形態では、光ファイバケーブルＦ１１，Ｆ２１、Ｆ１２，Ｆ２２、及び検出部２によって光ファイバセンサヘッドが構成されている。
【００２２】
また、アンプ部内の光ファイバケーブルＦ２１，２２は、図２に示すように屈折率の異なる例えばガラスで形成されたコアとクラッドとから構成される単一の芯線５を例えば保護シース６で被覆したもので、即ち単芯芯線が使用されている。一方、アンプ部外に導出される光ファイバケーブルＦ１１，Ｆ１２は、図３に示すように、上記芯線５よりも径が小さい４本の芯線７を束ねて保護シース８で被覆したもので、多芯芯線が使用されている。なお、アンプ部内の光ファイバケーブルＦ２１，Ｆ２２の保護シース６は、例えばポリエチレン樹脂製で、アンプ部外の光ファイバケーブルＦ１１，Ｆ１２の保護シース８はフッ素樹脂製である。なお、アンプ部内においては部分的に単芯芯線が使用されており、アンプ部及び検出部２の外部においては多芯芯線のケーブルのみが使用されている。
【００２３】
図４において、符号１０は素子ブロック（素子ブロック１０は保持部材に相当する）であって、合成樹脂材によって縦長状に形成されており、素子ブロック１０自身は、アンプユニット３（アンプユニット３はアンプ部本体に相当する）に突設された取付板１１にネジ１２等で取り付けられるようになっている。  
素子ブロック１０の後面側（図４の右側）には、光電素子の装着部１５が設定されているとともに、前面側に後記する保持部３０等の取付部１６が設定されている。
【００２４】
上記した装着部１５は、上部側が後方に張り出した段付き状に形成されており、この張出部１７内には、奥側が縮径された段付き状の上装着孔１８が後面に開口して形成されている。この上装着孔１８内には、奥側の縮径部１８Ａを開けた状態で、投光素子２０がケーシング２０Ａに収められて前方を向いて収容されている。  
装着部１５の下部側には、同じく奥側が縮径された段付き状の下装着孔１９が後面に開口して形成されている。下装着孔１９内には、その全域にわたって受光素子２１が同じく前方を向いて収容されている。両素子２０，２１のリード線２２はそれぞれ後方に引き出されている。
【００２５】
上装着孔１８における縮径部１８Ａの前面の中心からは、光ファイバケーブルＦ（具体的には単芯芯線を用いた光ファイバーケーブルＦ２１）を挿通可能な水平方向を向いた挿通路２５が、上記した取付部１６の前面に開口して形成されている。ただし、この挿通路２５の奥端は縮径され、その段部２６が挿通された単芯芯線の光ファイバケーブルＦ２１の先端を突き当て可能となっている。  
一方、下装着孔１９の前面の中心からは、単芯芯線を用いた光ファイバーケーブルＦ２２を挿通可能な水平方向を向いた挿通路２５が、取付部１６の前面に開口して形成されている。  
なお、この取付部１６の上下両側は、後記する操作部材４５を逃がすために奥側に一段引っ込んでいる。
【００２６】
取付部１６の前面には、上下２個の保持部３０が装着されている。この保持部３０は合成樹脂製であって、２個が同一形状に形成されている。保持部３０は詳細には、図８に示すように、一対の挟持片３１の上端同士が連結部３２で連結された形状であって、この連結部３２を中心として両挟持片３１が開閉可能となっている。  
両挟持片３１の対向面における上端寄りの位置には、多芯芯線の光ファイバケーブルＦ１１，Ｆ１２を挿通する挿通孔３４が形成されている。この挿通孔３４は、両挟持片３１が開いた状態（自然状態）では、使用される最大径の光ファイバケーブルＦ１１，Ｆ１２を挿通可能な直径となり、また、後記するように両挟持片３１が閉じた状態では、使用される最小径の光ファイバケーブルＦ１１，Ｆ１２よりも小さな直径に縮径される設定となっている。挿通孔３４の前面側の口縁には、ガイド用に面取り３５が施されている。  
両挟持片３１の外面の肩の部分には、連結部３２に向けて幅狭となるようなテーパ面３６が形成されている。また、両挟持片３１の先端寄りの外面には、三角形状の切欠部３７が形成されている。
【００２７】
保持部３０における連結部３２の後面には、図４にも示すように、取付棒３８が突設されているとともに、両挟持片３１の下端寄りの位置の後面には、それぞれ短寸の脚体３９が突設されている。  
一方、取付部１６の前面に形成された各挿通路２５の入口の上方位置には、上記の取付棒３８が圧入可能な取付孔４０が開口されている。詳細には、上側の取付孔４０は取付部１６の上方の一段引っ込んだ面に、下側の取付孔４０は取付部１６の前面にそれぞれ開口されている。また、各挿通路２５の下方位置には、両脚体３９を高さ方向にクリアランスを持って挿入可能とした横長の溝４１が形成されている。
【００２８】
したがって保持部３０は、取付棒３８を対応する取付孔４０内に圧入し、また両脚体３９を溝４１内に挿入しつつ取付部１６の前面で縦向きに取り付けられる。このとき、それぞれの保持部３０における両挟持片３１の間に形成される挿通孔３４の中心が、対応する挿通路２５の軸心、すなわち投光素子２０または受光素子２１の軸心と一致する設定となっている。また、両挟持片３１は、脚体３９を溝４１内で揺動させつつ開閉可能とされる。
【００２９】
この取付部１６の前面には、上記した保持部３０の開閉操作をすべく操作部材４５が装着されている。この操作部材４５は同じく合成樹脂製であって、図６にも示すように、取付部１６よりも少し縦長で、後方に開口した箱形に形成されており、取付部１６の前面に装着された保持部３０から取付部１６の側面を覆って被着可能となっている。ただし、上下方向には所定のクリアランスが設けられている。
【００３０】
操作部材４５の左右の側板には、その後縁における中央高さ位置から案内板４６が後方に向けて突設されている。この案内板４６は、素子ブロック１０における前側の左右の側面に摺接可能であって、両案内板４６の対向面における突出縁の上下両端には、それぞれ内向きのフック４７が形成されている。一方、素子ブロック１０の左右の側面には、図５に示すように、上記したフック４７を嵌める縦向きのガイド溝４８が形成されている。  
従って操作部材４５は、取付部１６の前面側から被せられて、両案内板４６のフック４７をガイド溝４８に嵌めることによって、ガイド溝４８に沿って上下移動可能に装着されている。
【００３１】
また、素子ブロック１０の上面には、取付部１６の上方に突出するようにして支持腕５０が形成され、この支持腕５０にレバー５１が支持されている。このレバー５１は同じく合成樹脂製であって、一端側に指を掛ける操作部５２が、他端側に二股となった係合部５３が形成ている。そして、係合部５３が支持腕５０を挟むようにして装着され、係合部５３の付け根部分に形成された軸孔５４（図８）と、支持腕５０の軸孔５５にわたってピン５６が挿入されることで、レバー５１は、図４に示す傾倒位置と、図７に示す起立位置との間で回動可能に支持されている。
【００３２】
このレバー５１は、係合部５３の先端が操作部材４５の上板４５Ｕを押圧するように機能する。また、操作部材４５の上面における後端部には、一対の鈎部５８が対向して立ち上がり形成されているとともに、レバー５１の係合部５３の前縁側の外面には、鈎部５８内に潜り込み可能な引き上げ部５９が張り出し形成されている。  
すなわち、レバー５１が傾倒位置にある場合には、引き上げ部５９が鈎部５８に引っ掛かってこれを引き上げることにより、操作部材４５は上昇位置に持ち来され、一方、レバー５１が起立位置に回動されると、係合部５３が上板４５Ｕを押し下げることにより、操作部材４５は上板４５Ｕが上側の保持部３０の上面に当たる下降位置まで持ち来されるようになっている。なおレバー５１は、素子ブロック１０側に設けられたロック爪６１（図７の鎖線で表示）が側面に形成されたロック溝６２に嵌まることで起立位置に保持可能とされている。
【００３３】
操作部材４５の前面には、縦向きの長孔６４が上下に２個並んで形成されており、操作部材４５が上記のように上昇位置と下降位置のいずれに移動した場合にも、上下の挿通路２５が対応する長孔６４を通して前方に開口し得るようになっている。  
操作部材４５内の奥側における左右の側面からは、図８に示すように、保持部３０の両側に向けて突出するようにして係合壁６５が形成されている。この係合壁６５は左右対称に形成され、保持部３０における挟持片３１の付け根側の外面を押圧することに機能する押圧部６６が左右一対、かつ上下２組形成されている。また、挟持片３１に形成された切欠部３７の下側の斜面３７Ａに当接して開きを規制することに機能する規制部６７が、同じく左右一対、かつ上下２組形成されている。
【００３４】
そして、操作部材４５が図８に示す上昇位置にあるときには、係合壁６５における押圧部６６が、保持部３０における挟持片３１の肩のテーパ面３６と対応する位置に逃げていて、両挟持片３１が開いた状態に留め置かれる。ただし、規制部６７が切欠部３７の下側の斜面３７Ａに当たって、挟持片３１が過度に開き変形することを規制するようになっている。  
一方、操作部材４５が図９に示す下降位置にあるときには、押圧部６６が、テーパ面３６から挟持片３１の外面に乗り上げることで、両挟持片３１を弾性変形させて閉じるようになっている。なお、規制部６７も挟持片３１の先端側の外面に当接して、両挟持片３１を閉じた状態に保持することに寄与するようになっている。
【００３５】
素子ブロック１０の前面にはカバー７０が装着されている。カバー７０は、レバー５１の軸支位置から保持部３０の前面を覆うようにして装着され、上下の挿通路２５と対応した位置に窓孔７１が開口されている。また、操作部材４５の前面には、複数の突部７２が形成されてカバー７０の裏面に当接されており、操作部材４５とカバー７０との間の摩擦抵抗を減じて、スムーズな摺動を担保するようになっている。
【００３６】
本実施形態は上記のような構造であって、続いてその作用を説明する。  
光ファイバケーブルＦ１１，Ｆ１２を装着するに当たっては、レバー５１が図４の傾倒位置に回動されて操作部材４５が上昇位置に持ち来されている。このときは、図８に示すように、上下の保持部３０において、両挟持片３１が開いて挿通孔３４が拡径している。また、前面の長孔６４の上部側が挿通孔３４と整合している。  
この状態から光ファイバケーブルＦ１１，１２が挿通される。上下それぞれ、カバー７０の窓孔７１、操作部材４５の長孔６４の下部側、保持部３０の拡径した挿通孔３４に挿通され、予め配される光ファイバーケーブルＦ２１，Ｆ２２の前面に当たることで、挿通が停止される。
【００３７】
両光ファイバケーブルＦ１１，１２が挿通されたら、操作部５２に指を掛けてレバー５１を図７の起立位置に向けて回動し、ロック爪６１によりロックする。この間に、レバー５１がピン５６を中心として図４の時計回り方向に回動し、係合部５３の先端が上板４５Ｕを押し下げることで操作部材４５が下降位置に移動する。それに伴い、各光ファイバケーブルＦ１１，Ｆ１２は操作部材４５の長孔６４の上部側に相対的に移動するとともに、係合壁６５における左右の押圧部６６が、テーパ面３６から両挟持片３１の外面に乗り上げることで両挟持片３１を弾性変形させて閉じ、挿通孔３４が縮径されることでその中に通された光ファイバケーブルＦ１１，Ｆ１２の端部が弾性的に挟まれる。また規制部６７も両挟持片３１の先端側を挟んで閉じた状態に保持する。  
これにより、上側の光ファイバケーブルＦ１１の端部は投光素子２０と同軸に、また下側の光ファイバケーブルＦ１２の端部は受光素子２１と同軸に保持される。
【００３８】
以上説明したように本実施形態によれば、多芯芯線を有する光ファイバケーブルＦ１１，Ｆ１２が保持部材たる素子ブロック１０に着脱可能に取り付けられ、さらに、保持部３０に備えられた一対の挟持片３１を両側から閉じて挿通孔３４を縮径することにより光ファイバケーブルＦ１１，Ｆ１２を挟持するようにしたから、径が異なる光ファイバケーブルＦ１１，１２についても、それぞれの軸心を常に一定位置、すなわち投光素子２０または受光素子２１の軸心と一致した位置に持ち来した状態で保持することができる。その結果、径が異なる光ファイバケーブルＦ１１，Ｆ１２のそれぞれについて、投光素子２０または受光素子２１との間で所定の光伝達効率が確保できて高い検出精度が得られ、使用可能な光ファイバケーブルＦ１１，１２の種類を大幅に広げることができる。
【００３９】
また、ケーブルが屈曲されにくいアンプ部内（アンプユニット３及び素子ブロック１０からなるアンプ部の内部）において部分的に単芯芯線で構成される部分を設け、アンプ部外における口金或いは検出ユニット以外の部分（即ち、屈曲されやすい部分）において、多芯芯線で構成される部分のみを設けるようにしたため、屈曲されやすい部分を多芯構造のみによって構成できる。また、単芯芯線と多芯芯線とが組み合わされた構成とされるため、光ファイバケーブルを通過する際の光のばらつきを抑制できる。
【００４０】
また、アンプ部本体（即ち、アンプユニット３）に対し装着可能に構成される素子ブロック１０（保持部材）の内部に単芯芯線を設けるようにしたため、光ファイバケーブルＦをアンプ部に挿入して固定する際に、投光素子の中心と光ファイバケーブルＦの中心とが位置ずれしにくくなる。
【００４１】
さらに、単芯芯線の端部と多芯芯線の端部とが素子ブロック１０（保持部材）内で結合しており、単芯芯線と多芯芯線とを光伝達可能となるように好適に連結できるようになっている。また、多芯芯線で構成される光ファイバケーブルＦ１１，Ｆ１２を素子ブロック１０（保持部材）に着脱可能としているため、メンテナンス性に優れた構成となっている。
【００４２】
＜実施形態２＞
実施形態２では、図１の検出部を図１０のように変更した構成が採用されている。
本実施形態では、実施形態１と同様の一端側が光ファイバセンサのアンプ部に挿入され、他端側に検出ユニットが装着されて検出領域に取り付けられる光ファイバセンサヘッドにおいて、光ファイバケーブルは、検出ユニット１０２内においては単芯芯線の光ファイバケーブルＦ３１で構成されると共に、その他においては実施形態１と同様の多芯芯線で構成される光ファイバケーブルＦ１１が用いられている。なお、図１０では、光ファイバケーブルＦから出射される光を反射部材１０３を介して反射すると共にレンズ１０４を介して導出するサイドビュー型の検出ユニットが設けられている。
【００４３】
本構成の光ファイバケーブルＦは、検出ユニット１０２内の箇所と、アンプ部内に挿入される箇所においては、単芯芯線で構成されると共に、その他においては多芯芯線で構成されている。
【００４４】
従って、ケーブルが屈曲されにくい検出ユニット内において単芯芯線で構成される部分を設け、その他の部分を多芯芯線で構成するようにしたため、屈曲部分を多芯構造とすることができる。また、単芯芯線と多芯芯線とが組み合わされた構成とされるため、光ファイバケーブルを通過する際の光のばらつきを抑制できる。
【００４５】
さらに、アンプ部内と、検出ユニット内との両方において単芯芯線によって構成される部分が設けられるため、光量のばらつきを抑制する効果がより一層高まる。
【００４６】
＜実施形態３＞
次に、図１１ないし図１３を参照して実施形態３について説明する。
図１１は、実施形態３に係る光ファイバセンサについて説明する説明図であり、図１２は、図１１の光ファイバセンサに用いる口金について概念的に例示する断面図である。図１３は、図１２の口金によって光ファイバケーブルを保持した状態を説明する説明図である。
実施形態３では、図１１に示すように、図１と同様のアンプ部及び光ファイバーケーブルＦ１１，Ｆ１２が設けられ、光ファイバーケーブルＦ１１，Ｆ１２の一端側は実施形態１と同様に単芯芯線の光ファイバーケーブルＦ２１，Ｆ２２と隣接して配置され（図７参照）、図１３に示すように、その光ファイバーケーブルＦ１１，Ｆ１２の他端側が口金２０１，２１１内に挿入される構成としている。なお、口金２０１と口金２１１は同一の構成であり、口金２０２と口金２１２は同一の構成であるので、口金２０１及び口金２０２を代表的に説明するものとする。なお、光ファイバーケーブルＦ１１，Ｆ１２とアンプユニット３の接続構造は図２ないし図９に示す実施形態１の構成と同様の構成を用いている。図１３に示すように、口金２０１と連結部２０５を介して連結される口金２０２内に単芯芯線で構成される光ファイバケーブルＦ５１が配され、口金外は、多芯芯線で構成される光ファイバケーブル（光ファイバケーブルＦ１１，Ｆ１２，Ｆ４１，Ｆ４２）によって構成されている。なお、各光ファイバーケーブルの口金内での保持は、所定の固定部材によって固定するようにしてもよく、接着媒体などによって固定するようにしてもよい。光ファイバケーブルＦ５１における光ファイバケーブルＦ１１とは反対側の端部には、光ファイバケーブルＦ１１と同様の多芯芯線を用いた光ファイバケーブルＦ４１が隣接して配置されている。
【００４７】
＜他の実施形態＞
本発明は上記実施形態に限定されるもではなく、例えば、以下に説明するような実施形態も本発明の技術的範囲に含まれ、さらに下記以外にも要旨を逸脱しない範囲内で種々変更して実施することができる。
（１）上記実施形態では、多芯芯線の光ファイバーケーブルを４芯構造とした例を示したが、これに限られず、より直線部分での光の伝達損失軽減を図るべく２芯又は３芯構造のものや、より曲げ損失軽減を図るべく５芯以上の構造のものであっても良い。
【００４８】
（２）上記実施形態では、単芯芯線と多芯芯線とが別々の光ファイバーケーブルによって構成される例を示したが、単芯芯線と多芯芯線とを隣接させると共に、１種類の保護シースで一体的に被覆した構造のものとしてもよい。
（３）実施形態２では、検出ユニット内に単芯芯線を用いた光ファイバケーブルを配置した構成を例示したが、これに実施形態３の構成を組み合わせてもよい。即ち、アンプ部内、口金内、検出ユニット内にそれぞれ単芯芯線で構成される光ファイバケーブルを配置し、それらの外部に多芯芯線で構成される光ファイバーケーブルを配置するようにしてもよい。
（４）上記実施形態では、口金内又は検出ユニット内の箇所と、アンプ部内に挿入される箇所（具体的には保持部材内の箇所）において単芯芯線で構成される部分を配置し、その他においては多芯芯線で構成される部分を配置する構成を例示したが、保持部材を設けない構成であっても同様に構成できる。即ち、アンプユニット３内の箇所と、口金内又は検出ユニット内の箇所と、にそれぞれ単芯芯線で構成される部分を配置し、それ以外の外部箇所に多芯芯線で構成される部分を配置するようにしてもよい。
【図面の簡単な説明】
【００４９】
【図１】本発明の実施形態１に係る光ファイバセンサの説明図
【図２】単芯芯線の光ファイバケーブルを説明する説明図
【図３】多芯芯線の光ファイバケーブルを説明する説明図
【図４】保持部材を説明する断面図
【図５】保持部材を上方から見た図
【図６】保持部材の斜視図
【図７】保持部材に光ファイバケーブルを挿入した状態を示す断面図
【図８】保持部材の作用を説明する説明図
【図９】図８に続く説明図
【図１０】実施形態２に係る検出ユニットについて説明する説明図
【図１１】実施形態３に係る光ファイバセンサについて説明する説明図
【図１２】図１１の光ファイバセンサに用いる口金について概念的に例示する断面図
【図１３】図１２の口金によって光ファイバケーブルを保持した状態を説明する説明図
【符号の説明】
【００５０】
１…光ファイバセンサ
Ｆ…光ファイバケーブル
Ｆ１１，Ｆ１２…多芯芯線で構成される光ファイバケーブル
Ｆ２１，Ｆ２２…単芯芯線で構成される光ファイバケーブル
３…アンプユニット（アンプ部本体、アンプ部）
５…芯線（単芯芯線）
７…芯線（多芯芯線）
１０…素子ブロック（保持部材、アンプ部）
１０２…検出ユニット
２０２…口金
【図１】
2007178884.tif 000003
【図２】
2007178884.tif 000004
【図３】
2007178884.tif 000005
【図４】
2007178884.tif 000006
【図５】
2007178884.tif 000007
【図６】
2007178884.tif 000008
【図７】
2007178884.tif 000009
【図８】
2007178884.tif 000010
【図９】
2007178884.tif 000011
【図１０】
2007178884.tif 000012
【図１１】
2007178884.tif 000013
【図１２】
2007178884.tif 000014
【図１３】
2007178884.tif 000015